(57)【要約】【課題】ストロボ撮影時に、主要被写体と背景との明るさのバランスを撮影者の意図通りに撮影する。【解決手段】上限値設定部３３ａは、カーソル操作ボタン２３からの操作信号に基づいて、ストロボ装置３４の発光量の上限値を設定する。発光量設定部３３は、ＡＥ評価値及び撮影感度情報を取得して、これらに基づいて発光量の初期値Ｘを設定する。さらに、発光量設定部３３は、初期値Ｘが上限値よりも大きい場合、発光量を上限値に設定し、初期値Ｘが上限値以下の場合、発光量を初期値Ｘに設定する。システムコントローラ３０は、ＡＥ評価値及び撮影感度に基づいて露出を制御するとともに、発光量の設定値に基づいてストロボ装置３４を制御する。【選択図】図２
2008268361.tif 000002
【特許請求の範囲】
【請求項１】
ズームレンズ及びフォーカスレンズを有する撮影レンズと、この撮影レンズを透過した被写体光を光電変換によって撮像する撮像手段と、被写体に向けてストロボ光を照射するストロボ装置とを備えた撮影装置において、
被写体輝度を測光する測光手段と、
前記ズームレンズのズーム位置を検出するズーム位置検出手段と、
前記フォーカスレンズの合焦位置を検出する合焦位置検出手段と、
前記ズーム位置及び前記合焦位置に基づいて撮影感度を設定する撮影感度設定手段と、
前記撮像手段から出力される撮像信号を前記撮影感度に対応するゲインで増幅させる第１増幅手段と、
前記被写体輝度及び前記撮影感度に基づいて、前記ストロボ装置の発光量を設定するとともに、前記発光量の設定値が、予め設定されたストロボ発光量の上限値よりも大きい場合、前記設定値を前記上限値に変更する発光量設定手段と、
前記被写体輝度及び前記撮影感度に基づいて露出を制御するとともに、前記設定値に基づいて前記ストロボ装置を制御する制御手段とを備えていることを特徴とする撮影装置。
【請求項２】
前記上限値を切り替える上限値切替操作手段を備え、前記発光量設定手段は、前記上限値切替操作手段から取得された操作信号に基づいて前記上限値を設定することを特徴とする請求項１に記載の撮影装置。
【請求項３】
前記撮像信号をデジタル信号に変換して得られた画像データの輝度値を算出するとともに、前記輝度値と予め設定された目標輝度値とを比較して不足ゲイン値を算出する不足ゲイン値算出手段と、
前記不足ゲイン値に基づいて、前記画像データの信号レベルを増幅する第２増幅手段とを備えていることを特徴とする請求項１または２に記載の撮影装置。
【請求項４】
撮影指示を入力する撮影指示入力手段を備え、前記撮影指示入力手段から前記撮影指示を取得した場合、前記制御手段は、前記第２増幅手段によって前記信号レベルが増幅される前の第１の画像データと、増幅後の第２の画像データとの両方を記録手段に記録することを特徴とする請求項３に記載の撮影装置。
【請求項５】
画像を表示する表示手段を備え、
前記第２増幅手段によって前記信号レベルが増幅される前の第１の画像データ、及び増幅後の第２の画像データを記録手段に記録する前または記録後に、前記制御手段は、前記表示手段を制御して、前記第１及び第２の画像データが並べて配置され、記録または消去する画像が選択される選択画面を表示させるとともに、前記選択画面での選択結果に基づいて、選択画像に対応する画像データの記録処理または消去処理を実行することを特徴とする請求項１ないし４のいずれか１項に記載の撮影装置。
【請求項６】
撮影時に前記第１の画像データのみが記録されている場合、前記制御手段は、前記第２増幅手段を制御して、前記第２の画像データを生成させることを特徴とする請求項５に記載の撮影装置。
【請求項７】
前記発光量が所定発光量より大きいか否かを判定する判定手段を備え、前記所定発光量よりも大きい場合、前記制御手段は、前記ストロボ装置を制御して、本発光の前に、赤目を防止するプリ発光を行い、前記所定発光量以下の場合、前記プリ発光を行わないことを特徴とする請求項１ないし６のいずれか１項に記載の撮影装置。
【請求項８】
前記上限値を設定せずに前記発光量が設定される通常設定モードと、前記上限値が設定される上限値設定モードとを有し、前記上限値設定モードにて撮影処理が実行される前に、前記制御手段は、前記表示手段を制御して、ストロボ発光の有無、前記発光量、及び赤目を防止するプリ発光の有無を表示させることを特徴とする請求項１ないし７のいずれか１項に記載の撮影装置。
【発明の詳細な説明】
【技術分野】
【０００１】
本発明は、焦点距離を変更可能な撮影レンズを透過した被写体光を光電変換によって撮像する撮像手段と、被写体に向けてストロボ光を照射するストロボ装置とを備えた撮影装置に関する。
【背景技術】
【０００２】
近年、デジタルカメラ等の撮影装置が一般に普及している。デジタルカメラは、被写体像を光電変換によって撮像する固体撮像素子（例えば、ＣＣＤイメージセンサ等）を備え、この固体撮像素子によって得られた画像データをメモリカード等の記録媒体に記録する。このようなデジタルカメラでは、固体撮像素子によって得られた画像データに基づいて、主要被写体を適正露出で撮影するための露出値を設定して撮影を行う。
【０００３】
しかし、主要被写体と背景との輝度差が大きいシーンでは、露出オーバーによる白とびや、露出アンダーによる黒つぶれが発生するという問題がある。このような問題を解決するために、設定露出値で撮像して得られた画像データの輝度度数分布に基づいて、露出オーバーまたはアンダーを低減するための露出補正量を算出して、この露出補正量によって補正された露出値で撮影を行うデジタルカメラが知られている（例えば、特許文献１参照）。また、ストロボ撮影時の露出オーバーまたは露出アンダーを防止するために、被写体距離に応じてストロボ光量を調節するデジタルカメラも知られている（例えば、特許文献２参照）。さらに、ストロボ光量の不足時に、不足ゲインを増幅するデジタルカメラも知られている（例えば、特許文献３参照）。
【特許文献１】特開２００６−１５７３４８号公報
【特許文献２】特開２００６−９８７８６号公報
【特許文献３】特開２００１−１６９１７８号公報
【発明の開示】
【発明が解決しようとする課題】
【０００４】
しかしながら、上記特許文献１に記載のデジタルカメラでは、ストロボ撮影時の光量の制御について考慮されていないため、ストロボ撮影時の露出オーバーまたは露出アンダーを防止することができないという問題がある。また、上記特許文献２に記載のデジタルカメラでは、被写体距離に応じてストロボ光量を変化させるのみであり、主要被写体と背景との明るさのバランスを撮影者の意図通りに撮影することができないという問題がある。また、上記特許文献３に記載されたデジタルカメラでは、ストロボ光量の不足を撮像信号の増幅によって調節しているが、ストロボ光量を制御するものではないので、同様の問題がある。
【０００５】
本発明は、上記事情に鑑みてなされたものであり、ストロボ撮影時に、主要被写体と背景との明るさのバランスを撮影者の意図通りに撮影することが可能な撮影装置を提供することを目的とする。
【課題を解決するための手段】
【０００６】
上記課題を解決するために、本発明の撮影装置は、ズームレンズ及びフォーカスレンズを有する撮影レンズと、この撮影レンズを透過した被写体光を光電変換によって撮像する撮像手段と、被写体に向けてストロボ光を照射するストロボ装置とを備えた撮影装置であり、被写体輝度を測光する測光手段と、前記ズームレンズのズーム位置を検出するズーム位置検出手段と、前記フォーカスレンズの合焦位置を検出する合焦位置検出手段と、前記ズーム位置及び前記合焦位置に基づいて撮影感度を設定する撮影感度設定手段と、前記撮像手段から出力される撮像信号を前記撮影感度に対応するゲインで増幅させる第１増幅手段と、前記被写体輝度及び前記撮影感度に基づいて、前記ストロボ装置の発光量を設定するとともに、前記発光量の設定値が、予め設定されたストロボ発光量の上限値よりも大きい場合、前記設定値を前記上限値に変更する発光量設定手段と、前記被写体輝度及び前記撮影感度に基づいて露出を制御するとともに、前記設定値に基づいて前記ストロボ装置を制御する制御手段とを備えていることを特徴とするものである。
【０００７】
また、前記上限値を切り替える上限値切替操作手段を備え、前記発光量設定手段は、前記上限値切替操作手段から取得された操作信号に基づいて前記上限値を設定することが好ましい。
【０００８】
さらに、前記撮像信号をデジタル信号に変換して得られた画像データの輝度値を算出するとともに、前記輝度値と予め設定された目標輝度値とを比較して不足ゲイン値を算出する不足ゲイン値算出手段と、前記不足ゲイン値に基づいて、前記画像データの信号レベルを増幅する第２増幅手段とを備えていることが好ましい。
【０００９】
また、撮影指示を入力する撮影指示入力手段を備え、前記撮影指示入力手段から前記撮影指示を取得した場合、前記制御手段は、前記第２増幅手段によって前記信号レベルが増幅される前の第１の画像データと、増幅後の第２の画像データとの両方を記録手段に記録することが好ましい。
【００１０】
さらに、画像を表示する表示手段を備え、前記第２増幅手段によって前記信号レベルが増幅される前の第１の画像データ、及び増幅後の第２の画像データを記録手段に記録する前または記録後に、前記制御手段は、前記表示手段を制御して、前記第１及び第２の画像データが並べて配置され、記録または消去する画像が選択される選択画面を表示させるとともに、前記選択画面での選択結果に基づいて、選択画像に対応する画像データの記録処理または消去処理を実行することが好ましい。
【００１１】
また、前記記録手段に前記第１の画像データのみが記録されている場合、前記制御手段は、前記第２増幅手段を制御して、前記第２の画像データを生成させることが好ましい。
【００１２】
さらに、前記発光量が所定発光量より大きいか否かを判定する判定手段を備え、前記所定発光量よりも大きい場合、前記制御手段は、前記ストロボ装置を制御して、本発光の前に、赤目を防止するプリ発光を行い、前記所定発光量以下の場合、前記プリ発光を行わないことが好ましい。
【００１３】
また、前記上限値を設定せずに前記発光量が設定される通常設定モードと、前記上限値が設定される上限値設定モードとを有し、前記上限値設定モードにて撮影処理が実行される前に、前記制御手段は、前記表示手段を制御して、ストロボ発光の有無、前記発光量、及び赤目を防止するプリ発光の有無を表示させることが好ましい。
【発明の効果】
【００１４】
本発明の撮影装置によれば、被写体輝度及び撮影感度に基づいて設定された発光量の設定値が、ストロボ発光量の上限値よりも大きい場合、設定値が上限値に変更されるので、ストロボ発光無しに近い発光量で、被写体の背景の写りを重視したり、強制発光に近い発光量で背景が暗くて写らないようにしたりできるため、主要被写体と背景との明るさのバランスを撮影者の意図通りに撮影することができる。
【００１５】
また、上限値切替操作手段を操作することによって、撮影者が上限値を適宜設定できるため、主要被写体と背景との明るさのバランスを撮影者の意図にあった画像を撮影することができる。
【００１６】
さらに、画像データの信号レベルを増幅して、不足ゲインを補正することができるため、撮像処理後に、主要被写体と背景との明るさのバランスを補正することが可能である。また、不足ゲインの補正前後の２つの画像データを記録するので、主要被写体と背景との明るさのバランスが異なる２つの画像を同時に撮影することが可能である。
【００１７】
さらに、撮影時または撮影後に、不足ゲインの補正前後の２つの画像のうち記録または消去する画像が選択されて、選択画像に対応する画像データの記録処理及び消去処理を行うため、撮影者の好みにあった画像データのみを記録手段に残すことができる。このため、記録手段の記録領域を有効に活用することができる。
【００１８】
また、記録手段に第１の画像データのみが記録されている場合、第２増幅手段によって第２の画像データが生成されるので、撮影後に不足ゲインを補正した画像データを得ることができる。
【００１９】
ストロボ装置の発光量が所定発光量よりも大きい場合のみ、赤目を防止するプリ発光が行われるので、不要なプリ発光を防止して消費電力を抑えるとともに、撮影時のタイムロスを少なくすることができる。
【００２０】
上限値設定モードにて撮影処理が実行される前に、ストロボ発光の有無、発光量、及び赤目を防止するプリ発光の有無を表示させるので、撮影者の意図しない撮影が行われることを防止できる。
【発明を実施するための最良の形態】
【００２１】
図１に示すデジタルカメラ（撮影装置）１０は、カメラ本体１１の前面に、撮影レンズ（図２参照）４０を備えたレンズ鏡筒１２と、ストロボ発光窓（図示せず）と、ファインダ対物窓（図示せず）とが設けられている。また、カメラ本体１１の上面には、電源ボタン１３と、シャッタボタン１４とが設けられている。このシャッタボタン１４は、２段階押圧式のボタンであり、デジタルカメラ１０は、シャッタボタン１４が半押しされて１段目のスイッチがＯＮすると、焦点調節や露出調節等の撮影準備処理を行い、さらにシャッタボタン１４が全押しされて２段目のスイッチがＯＮすると撮影処理を実行する。
【００２２】
カメラ本体１１の背面には、ファインダ接眼窓１５と、画像を表示する表示手段であるＬＣＤ１６と、複数の操作ボタンで構成される操作部１７とが設けられている。ＬＣＤ１６には、スルー画、再生画像、及び各種メニュー画面等が表示される。
【００２３】
操作部１７は、モード切替ボタン２１、ズーム操作ボタン２２、カーソル操作ボタン２３、ＭＥＮＵ／ＯＫボタン２４、キャンセルボタン２５、及び表示ボタン２６で構成されている。モード切替ボタン２１は、撮影モードと、再生モードとを切り替える際に、スライド操作される。ズームボタン２２は、撮影レンズ４０の焦点距離を変更する際に押圧操作される。
【００２４】
カーソル操作ボタン２３は、上下左右の各部が押圧操作可能にされており、メニュー画面内でカーソルを上下左右に移動させる際や、再生モードにて再生画像を順送り及び逆送りする際に操作される。また、撮影モード時に、カーソル操作ボタン２３の「右」を押圧操作することによって、ストロボ装置（図２参照）６３の発光モードを切り替えることが可能である。発光モードとしては、例えば、ＡＵＴＯ発光モード、赤目軽減発光モード、強制発光モード、発光禁止（ナチュラル）モード、スローシンクロモード等が設定されている。また、ＡＵＴＯ発光モードには、被写体輝度及び撮影感度に基づいて発光量が設定される通常設定モードと、発光量の上限値を設定可能な上限値設定モードとを有している。上限値設定モードでは、被写体輝度及び撮影感度に基づいて設定された発光量の設定値が上限値より大きい場合、この上限値を発光量に設定する。
【００２５】
ＭＥＮＵ／ＯＫボタン２４は、カーソルボタン２３の中央部に配置されており、メニュー画面をＬＣＤ１６に表示させる際や、項目の選択を決定する際に押圧操作される。また、キャンセルボタン２５は、メニュー画面内での各種設定操作を途中でやめる場合や、前画面に戻す場合に押圧操作される。表示ボタン２６は、ＬＣＤ１６のＯＮ、ＯＦＦを切り替える際に押圧操作される。
【００２６】
カメラ本体１１の側面には、記録メディアスロット２７が設けられている。この記録メディアスロット２７には、画像データが記録される記録手段である記録メディア（例えば、メモリカード）２８が着脱自在に装填される。
【００２７】
次に、図２を参照して、デジタルカメラ１０の電気的構成について説明する。デジタルカメラ１０は、カメラ本体１１内の各部を制御する制御手段であるシステムコントローラ３０を備えている。このシステムコントローラ３０内には、ＲＯＭ３１、ＲＡＭ３２、及び発光量設定部３３が設けられている。
【００２８】
ＲＯＭ３１には、カメラ本体１１内の各部を制御するための制御プログラムや、各種制御用データ等が記憶されている。また、ＲＡＭ３２には、作業用データが一時的に記憶される。システムコントローラ３０は、これらのプログラムや各種制御用データ等に基づいて各部を制御する。また、システムコントローラ３０には、シャッタボタン１４、操作部１７、及び被写体にストロボ光を照射するストロボ装置３４が接続されている。システムコントローラ３０は、シャッタボタン１４及び操作部１７から入力される操作信号に基づいて各部を制御する。
【００２９】
発光量設定部３３は、発光量の上限値を設定する上限値設定部３３ａを備えている。発光量設定部３３は、被写体輝度及び撮影感度に基づいて、ストロボ装置３４の発光量を設定するとともに、上限値設定部３３ａによって設定された上限値よりも発光量の設定値が大きい場合には、発光量の設定値を上限値に変更する。
【００３０】
システムコントローラ３０は、この発光量設定値に基づいて、ストロボ装置３４を制御して発光量を調節する。また、カーソル操作ボタン２３は、上限値切替操作手段であり、前述の上限値は、カーソル操作ボタン２３の操作によって変更可能にされている。上限値設定部３３ａは、この操作信号に基づいて上限値を設定する。また、発光量を調節する場合、メインコンデンサの充電時間を変更することによって調節しても良いし、複数のメインコンデンサを設けて選択的に使用することによって調節しても良い。
【００３１】
前述のレンズ鏡筒１２は、撮影レンズ４０を備えている。この撮影レンズ４０は、焦点距離を変更可能なレンズであり、ズームレンズ４１と、絞り４２と、フォーカスレンズ４３とを備えて構成されている。ズームレンズ４１は、ズームパルスモータ４４によって、撮影レンズ４０の光軸方向に移動される。また、絞り４２は、アイリスモータ４５によって駆動されて開口径が変更し、後述するＣＣＤイメージセンサ（以下、単にＣＣＤと称する）４８の受光面に入射する被写体光の光量を調節する。さらに、フォーカスレンズ４３は、フォーカスパルスモータ４６によって光軸方向に沿って移動される。
【００３２】
各モータ４４〜４６は、モータドライバ４７に接続されている。モータドライバ４７は、システムコントローラ３０に接続されており、システムコントローラ３０からの指示に基づいて、各モータ４４〜４６に駆動パルスを送信する。各モータ４４〜４６は、この駆動パルスによって回転駆動される。
【００３３】
システムコントローラ３０は、ズームレンズ４１のズーム位置を検出するズーム位置検出手段であり、ズームパルスモータ４４の駆動パルス数をカウントすることによってズーム位置を検出する。例えば、ズームレンズ４１をテレ端に向けて移動させる時にはパル数を加算し、ワイド端側に向けて移動させる時にはパルス数を減算する。また、システムコントローラ３０は、同様に、フォーカスパルスモータ４６のパルス数をカウントしたフォーカスパルス数によって、フォーカスレンズ４３の位置を検出する。
【００３４】
この撮影レンズ４０の背後には、ＣＣＤ４８が配置されている。ＣＣＤ４８は、受光素子（フォトダイオード）が２次元的に配列された受光面を備えており、撮影レンズ４０を透過して受光面に結像された被写体光を光電変換し、光量に応じた信号電荷を蓄積する。各受光素子に蓄積された信号電荷は、ＣＣＤドライバ４９から与えられるパルスに基づいて、その電荷量に応じた電圧信号（撮像信号）として順次に読み出される。
【００３５】
ＣＣＤ４８から出力された撮像信号は、アナログ信号処理部５０に入力される。このアナログ信号処理部５０は、相関二重サンプリング回路（ＣＤＳ）５０ａ、オートゲインコントロール・アンプ（ＡＭＰ）５０ｂ、及びＡ／Ｄ変換器５０ｃで構成されている。
【００３６】
ＣＤＳ５０ａは、ＣＣＤ４８に起因するアンプ雑音とリセット雑音とを撮像信号から除去する。ＡＭＰ５０ｂは、撮像信号を増幅する増幅手段である。システムコントローラ３０は、後述する撮影感度設定回路６１から撮影感度情報を取得し、このＡＭＰ５０ｂを制御して、撮影感度に対応する利得で撮像信号を増幅する。また、Ａ／Ｄ変換器５０ｃは、アナログ信号である撮像信号をデジタル信号の画像データに変換する。
【００３７】
タイミングジェネレータ（ＴＧ）５１は、システムコントローラ３０の指示に従ってＣＣＤドライバ４９及びアナログ信号処理部５０に対してタイミング信号を与えており、このタイミング信号によって各回路の同期がとられている。また、このＴＧ５１から入力されるタイミング信号（クロックパルス）により、ＣＣＤ４８の電子シャッタ速度（露光時間）が決定される。つまり、システムコントローラ３０は、絞り４２の絞り値とＣＣＤ４８の露光時間とを変更することによって露出を制御する。
【００３８】
アナログ信号処理部５０には、画像入力コントローラ５２が接続されている。この画像入力コントローラ５２は、バス５３を介してＳＤＲＡＭ５４に接続されており、ＳＤＲＡＭ５４に１画面分の画像データを記憶させる。バス５３には、画像入力コントローラ５２及びＳＤＲＡＭ５４の他に、デジタル信号処理回路５５、圧縮伸張処理回路５６、ＬＣＤドライバ５７、メディアコントローラ５８、ＡＥ検出回路５９、ＡＦ検出回路６０、撮影感度設定回路６１、及び不足ゲイン算出回路６２が接続されている。
【００３９】
デジタル信号処理回路５５は、ＳＤＲＡＭ５４に記憶された画像データに対して、階調変換処理、輪郭強調処理、ノイズ低減処理、ホワイトバランス補正処理、及びＹＣ変換処理等の所定の信号処理を施す。スルー画を表示する場合には、撮影時よりも低解像度の画像データがＳＤＲＡＭ５４に記憶され、この低解像度の画像データに対して前述の信号処理が行われる。その後、システムコントローラ３０は、ＬＣＤドライバ５７を制御して、信号処理が施された画像データをスルー画としてＬＣＤ１６に表示させる。
【００４０】
前述のシャッタボタン１４が、半押しされて１段目のスイッチがＯＮにされると、後述するＡＥ制御及びＡＦ制御等の撮影準備動作が行われる。シャッタボタン１４が半押しされた状態から、さらに押下（全押し）されると、ＡＥ制御によって設定された露出値にて、ＣＣＤ４８に対して本露光が行われる。
【００４１】
この時、前述のＳＤＲＡＭ５４には、スルー画時よりも高解像度の画像データが記憶され、この画像データに対して前述の信号処理が施される。信号処理が施された画像データは、圧縮伸張処理回路５６によって所定の圧縮形式（例えば、ＪＰＥＧ形式）で圧縮される。圧縮処理後、画像データは、メディアコントローラ５８によって記録メディア２８に記録される。
【００４２】
また、再生モード時には、メディアコントローラ５８によって記録メディア２８から読み出された画像データが、圧縮伸張処理回路５６によって伸張され、ＬＣＤ１６に再生画像として表示される。
【００４３】
ＡＥ検出回路５９は、シャッタボタン１４が半押しされた時に、ＳＤＲＡＭ５４に記憶された画像データに基づいて、被写体輝度を測光する測光手段であり、露出値が最適となるＡＥ評価値を検出して、このＡＥ評価値をシステムコントローラ３０に出力する。また、ＡＦ検出回路６０は、画像データの高周波成分を抽出し、この高周波成分を積算する積算手段であり、シャッタボタン１４が半押しされてフォーカスレンズ４３が光軸方向に移動されている時に、ＳＤＲＡＭ５４に記憶された画像データの高周波成分の積算値であるＡＦ評価値を逐次算出して、このＡＦ評価値をシステムコントローラ３０に出力する。
【００４４】
システムコントローラ３０は、ＡＥ評価値に基づいて、絞り４２の開口径、及びＣＣＤ４８の電子シャッタ速度を設定する。さらに、システムコントローラ３０は、フォーカスレンズ４３の各位置のＡＦ評価値を逐次取得し、ＡＦ評価値が最大（ピーク）となるフォーカスレンズ４３の位置を合焦位置と判定し、この合焦位置にフォーカスレンズ４３を移動させる。なお、合焦位置検出手段は、ＡＦ検出回路６０と、システムコントローラ３０とで構成される。
【００４５】
撮影感度設定回路６１は、撮影レンズ４０の現在の焦点距離、及びフォーカスレンズ４３の合焦位置に基づいて、撮影感度を設定する撮影感度設定手段であり、シャッタボタン１４が半押しされた時に撮影感度を設定して、撮影感度情報をシステムコントローラ３０に出力する。
【００４６】
撮影感度設定回路６１には、図３に示すように、焦点距離情報であるズームポジション情報と、合焦位置としてフォーカスパルス数が入力され、これらに基づいて最適な撮影感度を設定し、この撮影感度情報（ＩＳＯ４００，８００，１６００，etc）をシステムコントローラ３０に出力する。なお、本実施形態では、３つの撮影感度から選択する場合を例に説明する。
【００４７】
撮影感度設定回路６１には、下表１に示すテーブルが記憶されている。このテーブルは、ズームポジション（Ｚ１〜Ｚ１０）毎の距離選択パラメータＡ，Ｂを示している。この距離選択パラメータＡ，Ｂは、フォーカスパルス数で設定されており、図４に示すように、距離選択パラメータＡ，Ｂは、フォーカスレンズ４３のＦａｒ端（フォーカスパルス数：０）とＮｅａｒ端との間に設定され、距離パラメータＡは、距離パラメータＢよりもＦａｒ端側に設定されている。
【００４８】
【表１】
2008268361.tif 000003
【００４９】
撮影感度設定回路６１は、システムコントローラ３０からズームポジション（Ｚ１〜Ｚ１０）の情報、及びフォーカスパルス数の情報を取得し、現在のズームポジションに対応する距離選択パラメータＡ，Ｂを選択する。その後、撮影感度設定回路６１は、合焦位置におけるフォーカスパルス数が、距離選択パラメータＡよりもＦａｒ端側、距離選択パラメータＡ，Ｂ間、及び距離選択パラメータよりもＮｅａｒ端側のいずれの範囲にあるかを判定する。
【００５０】
撮影感度設定回路６１は、距離選択パラメータＡよりもＦａｒ端側にある場合、撮影感度を高感度に設定し、距離選択パラメータＡ，Ｂ間にある場合、撮影感度を中感度に設定し、距離選択パラメータよりもＮｅａｒ端側にある場合、撮影感度を低感度に設定する。その後、撮影感度設定回路６１は、設定された撮影感度情報をシステムコントローラ３０に出力する。
【００５１】
不足ゲイン算出回路６２は、撮影処理時にＳＤＲＡＭ５４に記憶された画像データに基づいて、画像データの不足ゲイン値を算出する不足ゲイン値算出手段である。この不足ゲイン算出回路６２は、図５に示すように、分割エリア毎の積算データと、１エリア内の画素数データとが入力され、不足ゲイン値を算出して出力する。
【００５２】
以下に、この不足ゲイン算出回路６２の構成について説明する。図６に示すように、この不足ゲイン算出回路６２は、輝度データ変換部６２ａと、加重平均処理部６２ｂと、輝度レベル演算部６２ｃと、ゲイン値演算部６２ｄとを備えている。輝度データ変換部６２ａには、前述の分割エリア毎の積算データと、エリアサイズデータとが入力される。この分割エリア毎の積算データとは、画像データを所定数に分割したエリア毎のＲ／Ｇ／Ｂの積算データであり、エリアサイズデータとは、分割されたエリア内の画素数データである。本実施形態では画像データを６４分割した場合を例に説明するが、分割数は適宜変更可能である。また、システムコントローラ３０が、エリア毎のＲ／Ｇ／Ｂの積算データを算出しても良いし、ＡＥ検出回路５９が、この積算データを算出しても良い。
【００５３】
輝度データ変換部６２ａは、分割エリア毎の積算データであるＲ（ｉ），Ｇ（ｉ），Ｂ（ｉ）を取得し、下記数式１によって、各エリアの輝度データＹ（ｉ）を算出する。輝度データ変換部６２ａは、この輝度データＹ（ｉ）を加重平均処理部６２ｂに出力する。
【００５４】
【数１】
2008268361.tif 000004
【００５５】
その後、加重平均処理部６２ｂは、輝度データＹ（ｉ）に対して加重平均処理を行う。つまり、この加重平均処理部６２ｂは、画面中央に主要被写体があると想定して、図７に示す加重係数表を用いて各エリアの輝度データＹ（ｉ）に対して重み付けを行った後、下記数式２によって、輝度データＹ（ｉ）の平均値Ｙｋを算出する。加重平均処理部６２ｂは、この平均値Ｙｋを輝度レベル演算部６２ｃに出力する。
【００５６】
【数２】
2008268361.tif 000005
【００５７】
輝度レベル演算部６２ｃには、平均値Ｙｋと、１エリア内の画素数データとが入力される。この輝度レベル演算部６２ｃは、下記数式３によって、１画素当たりの輝度レベルＹｐを算出する。輝度レベル演算部６２ｃは、この輝度レベルＹｐを不足ゲイン値演算部６２ｄに出力する。
【００５８】
【数３】
2008268361.tif 000006
【００５９】
不足ゲイン値演算部６２ｄは、不足ゲイン値（ｃｒｃｔ＿ｇａｉｎ）を下記数式４によって算出し、この不足ゲイン値（ｃｒｃｔ＿ｇａｉｎ）をデジタル信号処理回路５５に出力する。
【００６０】
【数４】
2008268361.tif 000007
【００６１】
また、デジタル信号処理回路５５は、信号レベル調節手段である不足ゲイン調節部５５ａを備えている。この不足ゲイン調節部５５ａは、不足ゲイン値（ｃｒｃｔ＿ｇａｉｎ）に基づいて、ＳＤＲＡＭ５４に記憶された画像データのゲインを調節する。
【００６２】
上記構成のデジタルカメラ１０の作用について説明する。最初に、図８のフローチャートを参照して、発光モードの設定方法について説明する。ユーザによって、カーソル操作ボタン２３の「右」が押圧操作されると、システムコントローラ３０は、この操作信号を取得する度に、発光モードを「ＡＵＴＯ発光モード」、「赤目軽減モード」、「強制発光モード」、「発光禁止モード」、「スローシンクロモード」の順に設定する。また、「スローシンクロモード」に設定される状態で、前述の操作信号を取得すると、「ＡＵＴＯ発光モード」に再び設定される。
【００６３】
次に、図９のフローチャートを参照して、発光量の上限値設定処理について説明する。カーソル操作ボタン２３の「右」が押圧操作されて、「ＡＵＴＯ発光モード」に設定されと、システムコントローラ３０は、カーソル操作ボタン２３の「上」または「下」が押圧操作されたか否かを判定する。押圧操作されたと判定された場合、システムコントローラ３０は、ＬＣＤドライバ５７を制御して、例えば、図１０に示す上限値設定画面７０をＬＣＤ１６に表示させ、これらの押圧操作によって、上限値の変更が選択される。押圧操作されていないと判定された場合は、これらが押圧操作されるまで繰り返し判定処理が行われる。
【００６４】
さらに、システムコントローラ３０は、ＭＥＮＵ／ＯＫボタン２４が押圧操作されたか否かを判定する。押圧操作されていないと判定された場合、「上」または「下」が押圧操作されたか否かを判定する処理に戻る。また、押圧操作されたと判定された場合、上限値設定部３３ａを制御して上限値を設定して、上限値の設定処理を終了する。
【００６５】
次に、図１１のフローチャートを参照して、発光モードが「ＡＵＴＯ発光モード」に設定されている場合のデジタルカメラ１０の撮影処理について説明する。デジタルカメラ１０の電源がＯＮにされ、撮影モードに設定されると、ＬＣＤ１６にはスルー画が表示され、システムコントローラ３０は、シャッタボタン１４が半押しされているか否かを判定する。半押しされていないと判定された場合、シャッタボタン１４が半押しされるまで待機状態となる。
【００６６】
シャッタボタン１４が半押しされたと判定された場合、システムコントローラ３０は、ＡＥ検出回路５９を制御して測光処理を実行させる。ＡＥ検出回路５９は、ＡＥ評価値をシステムコントローラ３０に出力する。システムコントローラ３０は、このＡＥ評価値に基づいてＡＦ用露出値を算出し、絞り４２の開口径、及びＣＣＤ４８の電子シャッタ速度を設定する。この露出設定にて、ＣＣＤ４８によって撮像が行われて、ＳＤＲＡＭ５４に画像データが取り込まれる。
【００６７】
この時、システムコントローラ３０は、モータドライバ４７を制御してフォーカスレンズ４３をＦａｒ端とＮｅａｒ端との間で移動させながら、ＡＦ検出回路６０を制御してＡＦ処理を実行させる。ＡＦ検出回路６０は、ＡＦ評価値をフォーカスレンズ４３の位置毎に算出し、このＡＦ評価値をシステムコントローラ３０に逐次出力する。
【００６８】
システムコントローラ３０は、ＡＦ検出回路６０からＡＦ評価値を逐次取得するとともに、このＡＦ評価値が最大（ピーク）となる位置（フォーカスパルス数）を判定し、この位置をフォーカスレンズ４３の合焦位置として検出する。その後、システムコントローラ３０は、撮影感度設定処理を実行する。
【００６９】
次に、図１２のフローチャートを参照して、撮影感度設定処理について説明する。システムコントローラ３０は、現在のズームレンズ４１の位置を示すズームポジション情報（Ｚ１〜Ｚ１０）と、フォーカスレンズ４３の合焦位置情報（フォーカスパルス数）とを撮影感度設定回路６１に出力する。
【００７０】
撮影感度設定回路６１は、ズームポジション情報及び合焦位置情報を取得すると、表１に示すテーブルを参照して、現在のズームポジションに対応する距離選択パラメータＡ，Ｂのフォーカスパルス数を設定する。例えば、ズームポジションがＺ６の場合、距離選択パラメータＡを１０、距離選択パラメータＢを１８に設定する。
【００７１】
その後、撮影感度設定回路６１は、合焦位置のフォーカスパルス数が、距離選択パラメータＢよりも大きいか否かを判定する。距離選択パラメータＢよりも大きいと判定された場合、撮影感度設定回路６１は、撮影感度を低感度（例えば、ＩＳＯ４００）に設定する。また、距離選択パラメータＢ以下であると判定された場合、撮影感度設定回路６１は、フォーカスパルス数が、距離選択パラメータＡよりも小さいか否かを判定する。
【００７２】
距離選択パラメータＡよりも小さいと判定された場合、撮影感度設定回路６１は、撮影感度を高感度（例えば、ＩＳＯ１６００）に設定する。また、距離選択パラメータＡ以上であると判定された場合、撮影感度設定回路６１は、撮影感度を中感度（例えば、ＩＳＯ８００）に設定する。システムコントローラ３０は、撮影感度情報を撮影感度設定回路６１から取得して、撮影感度設定処理を終了する。その後、システムコントローラ３０は、発光量及び露出値の設定処理を実行する。
【００７３】
次に、図１３を参照して、発光量及び露出値の設定処理について説明する。以下の説明において、上限値を「大」（１００％）、「中」（５０％）、「小」（２５％）の３通りに設定可能な場合について説明する。最初に、発光量設定部３３は、ＡＥ評価値及び撮影感度情報を取得して、これらに基づいて発光量の初期設定値（以下、単に初期値と称する）Ｘを設定する。その後、システムコントローラ３０は、上限値が「大」に設定されているか否かを判定する。
【００７４】
「大」に設定されていると判定された場合、上限値が、１００％に設定される。すなわち、この場合は、通常発光モードであり、発光量設定部３３は、発光量を初期値に設定して、露出値を設定する処理に進む。
【００７５】
上限値が「大」に設定されていないと判定された場合、上限値が「中」に設定されているか否かを判定する。上限値が「中」に設定されていると判定された場合、上限値を５０％（Ａ）に設定し、この上限値Ａと初期値Ｘとを比較して、上限値Ａが初期値Ｘよりも大きいか否かを判定する。
【００７６】
上限値Ａが初期値Ｘよりも大きいと判定された場合、発光量を初期値Ｘに設定して、露出値を設定する処理に進む。また、上限値が初期値Ｘ以下であると判定された場合、発光量を上限値Ａに設定して、露出値を設定する処理に進む。
【００７７】
上限値が「中」に設定されていないと判定された場合、上限値を２５％（Ｂ）に設定し、この上限値Ｂと初期値Ｘとを比較して、上限値Ｂが初期値Ｘよりも大きいか否かを判定する。上限値Ｂが初期値Ｘよりも大きいと判定された場合、発光量を初期値Ｘに設定して、露出値を設定する処理に進む。また、上限値Ｂが初期値Ｘ以下であると判定された場合、発光量を上限値Ｂに設定して、露出値を設定する処理に進む。
【００７８】
発光量が設定された後、露出値の設定が行われる。この露出値の設定では、システムコントローラ３０が、ＡＥ評価値、撮影感度、及び発光量に基づいて露出値を設定して、発光量及び露出値の設定処理が終了する。
【００７９】
発光量及び露出値の設定処理終了後、システムコントローラ３０は、シャッタボタン１４が全押しされたか否かを判定する。全押しされていないと判定された場合、全押しされるまで待機状態となる。また、シャッタボタン１４が全押しされたと判定された場合、システムコントローラ３０は、露出値の設定に基づいて、絞り４２の開口径、及びＣＣＤ４８の電子シャッタ速度を制御するとともに、ストロボ装置３４の発光量を制御し、ＣＣＤ４８に撮像処理を実行させる。
【００８０】
この時、システムコントローラ３０は、ＡＭＰ５０ｂを制御して、ＣＣＤ４８から出力された撮像信号を撮影感度に対応する利得で増幅させる。その後、撮像信号をデジタル信号に変換した高解像度の画像データがＳＤＲＡＭ５４に記憶される。
【００８１】
その後、システムコントローラ３０は、デジタル信号処理回路５５、圧縮伸張処理回路５６、及びメディアコントローラ５８を制御して、画像データに対して各種信号処理及び圧縮処理を施した後、記録メディア２８に画像データを記録して、撮影処理を終了する。
【００８２】
上記撮影処理の説明では、不足ゲイン調節部５５ａによって不足ゲイン調節が施されていない通常の画像データのみを記録する場合を例に説明したが、以下に、ゲイン調節前後の２つの画像データを記録メディア２８に記録しても良い。
【００８３】
図１４のフローチャートを参照して、不足ゲイン調節が施された画像データと、不足ゲイン調節が施されていない通常の画像データとの両方を記録する場合の撮影処理について説明する。シャッタボタン１４の全押しが判定されるまでの処理は、通常の画像データのみを記録する場合と同様であり、シャッタボタン１４の全押し以降の処理についてのみ説明を行う。
【００８４】
システムコントローラ３０は、シャッタボタン１４が全押しされたか否かの判定を行い、全押しされていないと判定された場合、全押しされるまで待機状態となる。また、シャッタボタン１４が全押しされたと判定された場合、システムコントローラ３０は、露出値の設定に基づいて、絞り４２の開口径、及びＣＣＤ４８の電子シャッタ速度を制御するとともにストロボの発光量を制御し、ＣＣＤ４８に撮像処理を実行させる。
【００８５】
この時、システムコントローラ３０は、ＡＭＰ５０ｂを制御して、ＣＣＤ４８から出力された撮像信号を撮影感度に対応する利得で増幅させる。その後、撮像信号をデジタル信号に変換した高解像度の画像データがＳＤＲＡＭ５４に記憶される。
【００８６】
その後、システムコントローラ３０は、デジタル信号処理回路５５、圧縮伸張処理回路５６、及びメディアコントローラ５８を制御することによって、通常の画像データに対して各種信号処理及び圧縮処理を施した後、この画像データ（第１の画像データ）を記録メディア２８に記録する。
【００８７】
また、システムコントローラ３０は、６４分割されたエリア毎の積算データと、１エリアの画素数データとを不足ゲイン算出回路６２に出力する。不足ゲイン算出回路６２は、これらの積算データ及び画素数データを取得して、輝度データ変換部６２ａが、ＲＧＢ毎の積算値に基づいて輝度データＹ（ｉ）を算出し、この輝度データＹ（ｉ）を加重平均処理部６２ｂに出力する。加重平均処理部６２ｂは、各エリアの輝度データＹ（ｉ）に対して重み付けを行った後、輝度データＹ（ｉ）の平均値Ｙｋを算出して、この平均値Ｙｋを輝度レベル演算部６２ｃに出力する。
【００８８】
輝度レベル演算部６２ｃは、平均値Ｙｋ及び１エリアの画素数に基づいて、１画素当たりの輝度レベルＹｐを算出して、１画素当たりの輝度レベルＹｐを不足ゲイン演算部６２ｄに出力する。不足ゲイン値演算部６２ｄは、不足ゲイン値（ｃｒｃｔ＿ｇａｉｎ）を算出し、この不足ゲイン値（ｃｒｃｔ＿ｇａｉｎ）をデジタル信号処理回路５５に出力する。不足ゲイン調節部５５ａは、不足ゲイン値（ｃｒｃｔ＿ｇａｉｎ）に基づいて、ＳＤＲＡＭ５４に記憶された高解像度の画像データの不足ゲインを調節する。
【００８９】
その後、システムコントローラ３０は、デジタル信号処理回路５５、圧縮伸張処理回路５６、及びメディアコントローラ５８を制御して、不足ゲインが調節された画像データに対して各種信号処理及び圧縮処理を施した後、この画像データ（第２の画像データ）を記録メディア２８に記録して、撮影処理を終了する。
【００９０】
上記撮影処理の説明では、２つの画像データを記録する場合を例に説明したが、画像データを記録する前に、２つの画像が並べて表示された記録画像選択画面をＬＣＤ１６に表示し、記録させる画像をユーザに選択させて、選択画像に対応する画像データのみを記録メディア２８に記録しても良い。
【００９１】
次に、図１５のフローチャートを参照して、デジタルカメラ１０の再生モード時の画像消去処理について説明する。モード切替ボタン２１が操作されて再生モードに設定されると、システムコントローラ３０は、再生する画像データが不足ゲイン調節５５ａによって不足ゲイン調節された画像データか否かを判定する。
【００９２】
不足ゲイン調節された画像であると判定された場合、消去画像選択画面を表示する処理に進む。また、不足ゲイン調節された画像データではない（通常の画像データである）と判定された場合、システムコントローラ３０は、ＬＣＤドライバ５７を制御して、ゲイン調節が施されていない通常画像をＬＣＤ１６に表示させる。
【００９３】
さらに、システムコントローラ３０は、不足ゲイン調節の指示を取得したか否かを判定する。この判定は、例えば、不足ゲイン調節を施すか否かを選択する選択画面をＬＣＤ１６に表示して、この選択結果に基づいて行う。
【００９４】
不足ゲイン調節の指示を取得していないと判定された場合、消去画像選択処理を終了する。また、不足ゲイン調節の指示を取得したと判定された場合、システムコントローラ３０は、不足ゲイン調節部５５ａを制御して、通常画像データに対して不足ゲイン調節を施して、消去画像選択画面を表示する処理に進む。
【００９５】
消去画像選択画面を表示する処理において、システムコントローラ３０は、ＬＣＤドライバ５７を制御して、消去画像選択画面を表示させる。例えば、図１６に示すように、この消去画像選択画面８０には、通常画像８１と、不足ゲイン調節が施された画像８２とが並べて表示され、さらに、選択消去アイコン８３と、２画像消去アイコン８４と、左アイコン８５と、右アイコン８６と、ＯＫアイコン８７と、キャンセルアイコン８８とが表示されている。この消去画像選択画面８０では、カーソル操作ボタンと、ＭＥＮＵ／ＯＫボタン２３とを操作することによって、選択操作が行われる。
【００９６】
例えば、カーソル操作ボタン２３によって、消去画像選択アイコン８３が選択されると、左アイコン８５及び右アイコン８６の選択が可能となり、消去画像が選択される。その後、ＯＫアイコン８７が選択されて、さらに、ＭＥＮＵ／ＯＫボタン２４が押圧操作されると、選択画像に対応する画像データが記録メディア２８から消去される。例えば、左アイコン８５が選択されている場合、通常画像８１に対応する画像データが消去され、右アイコン８６が選択されている場合、不足ゲイン調節が施された画像に対応する画像データが消去される。
【００９７】
また、２画像消去アイコン８４が選択されて、さらに、ＯＫアイコン８７が選択された状態で、ＭＥＮＵ／ＯＫボタン２４が押圧操作されると、２つの画像に対応する画像データが消去される。また、キャンセルアイコン８８が選択されて、ＭＥＮＵ／ＯＫボタン２４が押圧操作されると、それまでの選択がキャンセルされて初期状態に戻る。
【００９８】
システムコントローラ３０は、通常画像８１、及び不足ゲインが調節された画像８２の少なくとも一方が選択されたか否かを判定する。この判定は、消去画像選択画面８０での選択結果に基づいて行われる。画像が選択されていないと判定された場合、消去画像選択処理を終了する。
【００９９】
また、画像が選択されたと判定された場合、システムコントローラ３０は、メディアコントローラ５８を制御して、選択画像に対応する画像データを記録メディア２８から消去して、消去画像選択処理を終了する。
【０１００】
上記画像消去処理の説明では、再生モードでの画像の消去について説明を行ったが、画像データをデジタルカメラ１０の外部に転送する転送モードにて、画像の消去処理を行っても良い。この場合も、通常画像データのみが記録されている時に、通常画像データに対して不足ゲイン調節処理を施して、消去画像選択画面を表示すれば良い。
【０１０１】
次に、図１７のフローチャートを参照して、赤目を防止するプリ発光を行う場合の撮影処理について説明する。なお、撮影感度設定処理までは、前述の撮影処理と同様であるので、詳しい説明を省略する。
【０１０２】
撮影感度設定処理が終了すると、システムコントローラ３０は、発光量及び露出値の設定処理を行う。以下に、図１８のフローチャートを参照して、発光量及び露出値の設定処理について説明する。最初に、発光量設定部３３は、発光量の初期値及びプリ発光量Ｅを設定する。その後、ストロボ装置の発光量を設定するまでの処理は、発光量及び露出値の設定処理と同様であり、詳しい説明を省略する。
【０１０３】
ストロボ装置３４の発光量が設定された後、システムコントローラ３０は、発光量の設定値が、プリ発光量Ｅよりも大きいか否かを判定する。プリ発光量Ｅ以下であると判定された場合、システムコントローラ３０は、プリ発光を「無し」に設定して、露出値を設定する処理に進む。
【０１０４】
また、発光量の設定値が所定発光量Ｅよりも大きいと判定された場合、システムコントローラ３０は、プリ発光を「有り」に設定して、露出値を設定する処理に進む。露出値を設定する処理では、システムコントローラ３０が、ＡＥ評価値、撮影感度、及び発光量に基づいて露出値を設定して、発光量及び露出値の設定処理を終了する。
【０１０５】
次に、システムコントローラ３０は、ストロボ発光の有無を判定する。ストロボ発光無しの場合、図１９（Ａ）に示すように、スルー画９０内に、発光モードマーク９１のみが表示された状態のまま、シャッタボタン１４が全押しされたか否かの判定処理に進む。
【０１０６】
ストロボ発光有りの場合、システムコントローラ３０は、プリ発光の有無を判定する。プリ発光有りの場合、図１９（Ｂ）に示すように、発光モードマーク９１、ストロボ装置３４の発光を示す発光マーク９２、プリ発光マーク９３、及び発光量９４をスルー画９０内に表示させる。また、プリ発光無しの場合、図１９（Ｃ）に示すように、プリ発光マークを表示させずに、発光マーク９２、プリ発光マーク９３、及び発光量９４をスルー画９０内に表示させる。その後、シャッタボタン１４が全押しされたか否かを判定する処理に進む。
【０１０７】
システムコントローラ３０は、シャッタボタン１４が全押しされたか否かを判定する。全押しされていない場合は、待機状態となって判定処理を繰り返し行う。また、全押しされたと判定された場合、システムコントローラ３０は、撮像処理、圧縮処理、及び画像データの記録処理を順に実行して、撮影処理を終了する。
【０１０８】
なお、上記実施形態において、フォーカスレンズを移動させながら、コントラスト方式でフォーカスレンズの合焦位置を検出する場合を例に説明したが、これに限るものではなく、例えば、アクティブ方式やパッシブ方式等の測距手段を用いてフォーカスレンズの合焦位置を検出しても良い。この場合、前述の表１に示すテーブルではなく、下表２に示すように、ズームポジション（Ｚ１〜Ｚ１０）毎に、撮影距離を示す距離選択パラメータＡ，Ｂを用いても良い。
【０１０９】
【表２】
2008268361.tif 000008
【０１１０】
また、上記実施形態において、撮影感度を低感度（ＩＳＯ４００）、中感度（ＩＳＯ８００）、高感度（ＩＳＯ１６００）の３通りから選択する場合を例に説明したが、これに限るものではなく、２通りまたは４通り以上の撮影感度から選択しても良い。
【０１１１】
さらに、上記実施形態において、発光量の上限値を３通りに設定可能な場合を例に説明を行ったが、これに限るものではなく、２通りでも４通り以上に設定可能にしても良い。
【０１１２】
また、上記実施形態において、発光量設定部及び上限値設定部をシステムコントローラ内に設けた場合を例に説明を行ったが、システムコントローラの外部に設けても良いし、システムコントローラが、発光量設定処理及び上限値設定処理をプログラムによって実行しても良い。
【０１１３】
さらに、上記実施形態において、ズームレンズ及びフォーカスレンズを駆動するモータとしてパルスモータを用いる場合を例に説明を行ったが、これに限るものではなく、ＤＣモータを用いても良い。この場合、レンズの位置を検出するためにエンコーダを設ければ良い。
【０１１４】
また、上記実施形態において、固体撮像素子としてＣＣＤイメージセンサを用いる場合を例に説明したが、これに限るものではなく、例えば、ＣＭＯＳイメージセンサを用いても良い。
【０１１５】
さらに、上記実施形態において、本発明をデジタルカメラに適用した場合を例に説明したが、これに限るものではなく、例えば、カメラ付き携帯電話やデジタルビデオカメラに本発明を適用しても良い。
【図面の簡単な説明】
【０１１６】
【図１】デジタルカメラの構成を示す斜視図である。
【図２】デジタルカメラの電気的構成を示すブロック図である。
【図３】撮影感度設定回路の入出力データを示す説明図である。
【図４】距離選択パラメータを示す説明図である。
【図５】不足ゲイン算出回路の入出力データを示す説明図である。
【図６】不足ゲイン算出回路の構成を示すブロック図である。
【図７】エリア毎の加重係数を示す説明図である。
【図８】発光モードの設定方法を説明するフローチャートである。
【図９】発光量の上限値の設定処理を説明するフローチャートである。
【図１０】上限値設定画面を示す説明図である。
【図１１】撮影処理を説明するフローチャートである。
【図１２】撮影感度の設定処理を説明するフローチャートである。
【図１３】発光量の設定処理を説明するフローチャートである。
【図１４】不足ゲインの調節前後の２つの画像データを記録する場合の撮影処理を説明するフローチャートである。
【図１５】再生モードでの画像データの消去処理を説明するフローチャートである。
【図１６】消去画像選択画面を説明する説明図である。
【図１７】プリ発光を含めた撮影処理を説明するフローチャートである。
【図１８】プリ発光の設定を含めた発光量及び露出値の設定処理を説明するフローチャートである。
【図１９】発光マーク、プリ発光マーク、及び発光量の表示を説明する説明図である。
【符号の説明】
【０１１７】
１０  デジタルカメラ
２３  カーソル操作ボタン
２８  記録メディア
３０  システムコントローラ
３３  発光量設定部
３３ａ  上限値設定部
３４  ストロボ装置
４０  撮影レンズ
４１  ズームレンズ
４３  フォーカスレンズ
４８  ＣＣＤ
５０ｂ  ＡＭＰ
５４  ＳＤＲＡＭ
５５  デジタル信号処理回路
５５ａ  不足ゲイン調節部
５９  ＡＥ検出回路
６０  ＡＦ検出回路
６１  撮影感度設定回路
６２  不足ゲイン算出回路
７０  上限値設定画面
８０  消去画像選択画面
９０  スルー画
９２  発光マーク
９３  プリ発光マーク
９４  発光量マーク
【図１】
2008268361.tif 000009
【図２】
2008268361.tif 000010
【図３】
2008268361.tif 000011
【図４】
2008268361.tif 000012
【図５】
2008268361.tif 000013
【図６】
2008268361.tif 000014
【図７】
2008268361.tif 000015
【図８】
2008268361.tif 000016
【図９】
2008268361.tif 000017
【図１０】
2008268361.tif 000018
【図１１】
2008268361.tif 000019
【図１２】
2008268361.tif 000020
【図１３】
2008268361.tif 000021
【図１４】
2008268361.tif 000022
【図１５】
2008268361.tif 000023
【図１６】
2008268361.tif 000024
【図１７】
2008268361.tif 000025
【図１８】
2008268361.tif 000026
【図１９】
2008268361.tif 000027